(57)【要約】【課題】表示パネルの端子部に接続されるフレキシブル基板で、表示装置の筐体の内面と対向する部分に開口部が設けられている場合において、フレキシブル基板の折り曲げに伴う開口部端縁の膨らみ現象を防止する。【解決手段】端子部２１ａにフレキシブル基板５が接続された液晶表示パネル２と、その裏面側に配置されるバックライトユニット３とが、上ケース部１１と下ケース部１２とからなる筐体１内に収納され、バックライトユニット３と下ケース部１２との間に係止突起３３を含む固定手段が設けられ、フレキシブル基板５が端子部２１ａからバックライトユニット３の側面に沿って折り曲げられ、フレキシブル基板５に係止突起３３が嵌合される開口部５１が穿設されている液晶表示装置において、開口部５１の周縁に、フレキシブル基板５の折り曲げに伴う端縁の膨らみを防止するための補強部材５４を設ける。【選択図】図１
2007121898.tif 000002
【特許請求の範囲】
【請求項１】
端子部に表示駆動用のフレキシブル基板が接続された表示パネルと、上記表示パネルの裏面側に配置されるパネル載置台とが筐体内に収納され、上記パネル載置台と上記筐体との対向する所定の側面間に雌雄嵌合からなる固定手段が設けられており、上記フレキシブル基板が上記端子部から上記固定手段が設けられている上記パネル載置台の側面に沿って折り曲げられ、上記フレキシブル基板に上記固定手段が嵌合される開口部が穿設されている液晶表示装置において、
上記開口部の周縁には、補強部材が形成されていることを特徴とする表示装置。
【請求項２】
上記補強部材が、上記開口部の上端縁から上記フレキシブル基板の端子部側の折り曲げ位置にかからない範囲にかけて形成されていることを特徴とする請求項１に記載の表示装置。
【請求項３】
上記補強部材が、上記開口部の上端縁に隣接する両側端縁にも形成されていることを特徴とする請求項１または２に記載の表示装置。
【請求項４】
上記補強部材が、上記フレキシブル基板の配線材料である銅箔材よりなることを特徴とする請求項１ないし３のいずれか１項に記載の表示装置。
【発明の詳細な説明】
【技術分野】
【０００１】
本発明は、パネル載置台を有する表示装置に関し、さらに詳しく言えば、表示パネルの端子部に接続されている表示駆動用のフレキシブル基板をパネル載置台の背面側に折り返した状態で、表示パネルとパネル載置台とを筐体内に収納してなる表示装置に関するものである。
【背景技術】
【０００２】
例えば、透過型または半透過型の液晶表示パネルには、その背面側にバックライトユニットが配置される。この場合、バックライトユニットはパネル載置台としても用いられ、実際の製品形態では図３の分解斜視図および図４の断面図にその概略が例示されているように、筐体（ホルダ）１内において、液晶表示パネル２とバックライトユニット３とが組み立てられる。
【０００３】
通常、この種の筐体１は、液晶表示パネル２の観察面側に被せられる上ケース部１１と、バックライト３の背面側に配置される下ケース部１２とを備える箱体で、金属製もしくは合成樹脂製である。
【０００４】
上ケース部１１は、一方の面に表示窓１３を有し他方の面が開口されており、その表示窓１３に沿って液晶表示パネル２が配置される。下ケース部１２は、底板１４とその４辺に立設された側枠１５ａ〜１５ｄとを有し、上面は開口している。バックライトユニット３は、液晶表示パネル２の背面側（反観察面側）に配置され、下ケース部１２により覆われる。
【０００５】
バックライトユニット３は、合成樹脂からなるユニットケース３１内に図示しない光源や導光板などを収納してなり、ユニットケース３１の上面には、液晶表示パネル２に対して光を照射する光照射窓３２が設けられている。また、図４に示すように、バックライトユニット３の背面には、基板ねじ止め用のボス３４が複数箇所に設けられ、このボス３４に液晶駆動回路やバックライトの電源回路などを有する回路基板４がねじ止めされる。
【０００６】
なお、バックライトユニット３は、下ケース部１２に所定の係止手段によって固定されるが、この例では、上記係止手段として、ユニットケース３１側に突設された２つの係止突起３３，３３と、下ケース部１２の側枠１５ａ側に形成された係止孔１６，１６とが用いられている。なお、上記係止手段は、側枠１５ａと対向する側枠１５ｃ側にも設けられる。
【０００７】
液晶表示パネル２は、それぞれ表示電極が形成された２枚の透明電極基板２１，２２を周辺シール材を介して貼り合わせてなり、そのセルギャップ内には所定の液晶物質が封入され、また、その表裏面には偏光板２３，２４が配設されている。
【０００８】
透明電極基板２１，２２の少なくとも一方の透明電極基板に、側方に張り出された端子部が設けられる。この例では、透明電極基板２１側に端子部２１ａが設けられており、この端子部２１ａに、ＣＯＦ（ｃｈｉｐ  ｏｎ  ｆｉｌｍ）やＴＣＰ（ｔａｐｅ  ｃａｒｒｉｅｒ  ｐａｃｋａｇｅ）などのフレキシブル基板５の一端が接続される。
【０００９】
図４に示すように、フレキシブル基板５の他端は、端子部２１ａからバックライトユニット３の側面および背面にかけて折り曲げられたのち、回路基板４に設けられている図示しないソケットにはめ込まれるが、この場合、上記したようにバックライトユニット３の側面には係止突起３３が設けられ、また、背面には基板ねじ止め用のボス３４が設けられているため、フレキシブル基板５には、係止突起３３とボス３４とが嵌合される大きさの開口５１が２箇所に形成されている。
【００１０】
この液晶表示装置を組み立てるには、まず、液晶表示パネル２の背面側にバックライトユニット３を配置した後、液晶表示パネル２の端子部２１ａに接続されたフレキシブル基板５を図３の鎖線５２の部分でほぼ直角に折り曲げ、フレキシブル基板５の開口５１，５１に係止突起３３，３３を嵌合させる。
【００１１】
次に、フレキシブル基板５を図３の鎖線５３の部分で、さらにバックライトユニット３の背面側に向けてほぼ直角に折曲げ、フレキシブル基板５の開口５１，５１にボス３４，３４を嵌合させたのち、上記したようにフレキシブル基板５の端部を回路基板４の図示しないソケットに差し込む。
【００１２】
そして、液晶表示パネル２の観察面側に上ケース部１１を被せ、バックライトユニット３の背面側に下ケース部１２を装着して筐体１を組み立てる。下ケース部１２を装着する際、側枠１５ａが係止突起３３を乗り越えて、側枠１５ａに穿設されている係止孔１６と係止突起３３とが嵌合することにより、バックライトユニット３が下ケース部１２に固定される。なお、上ケース部１１と下ケース部１２は、図示しない所定の嵌合手段などにより一体化される。
【発明の開示】
【発明が解決しようとする課題】
【００１３】
しかしながら、上記従来例には次のような問題が指摘されている。すなわち、フレキシブル基板５は、図３の鎖線５２，５３の各部分でほぼ直角に折り曲げられるが、その際、図４の鎖線で示すように、端子部２１ａの折曲げ箇所（鎖線５２の部分）から開口５１の上側縁に至る部分５ａが外側（下ケース部１２側）に膨らむため、下ケース部１２内にバックライトユニット３を収納するとき、上記の膨らみ部分５ａに下ケース部１２の上端が引っ掛かり、開口部５１の隅などに亀裂が生ずることがある。
【００１４】
したがって、本発明の課題は、表示パネルの端子部に接続されるフレキシブル基板で、表示装置が備える筐体の側枠内面と対向する部分に開口部が設けられている場合において、フレキシブル基板の折り曲げに伴う開口部端縁の膨らみ現象を防止することにある。
【課題を解決するための手段】
【００１５】
上記課題を解決するため、請求項１に係る発明は、端子部に表示駆動用のフレキシブル基板が接続された表示パネルと、上記表示パネルの裏面側に配置されるパネル載置台とが筐体内に収納され、上記パネル載置台と上記筐体との対向する所定の側面間に雌雄嵌合からなる固定手段が設けられており、上記フレキシブル基板が上記端子部から上記固定手段が設けられている上記パネル載置台の側面に沿って折り曲げられ、上記フレキシブル基板に上記固定手段が嵌合される開口部が穿設されている表示装置において、上記開口部の周縁には、補強部材が形成されていることを特徴としている。
【００１６】
請求項２に記載の発明は、上記請求項１において、上記補強部材が、上記開口部の上端縁から上記フレキシブル基板の端子部側の折り曲げ位置にかからない範囲にかけて形成されていることを特徴としている。
【００１７】
請求項３に記載の発明は、上記請求項１または２において、上記補強部材が、上記開口部の上端縁に隣接する両側端縁にも形成されていることを特徴としている。
【００１８】
請求項４に記載の発明は、上記請求項１ないし３のいずれか１項において、上記補強部材が、上記フレキシブル基板の配線材料である銅箔材よりなることを特徴としている。
【発明の効果】
【００１９】
請求項１に係る発明によれば、フレキシブル基板の開口部の周縁に補強部材が形成されているため、その補強部材の硬性により、フレキシブル基板の折り曲げに伴って発生していた折り曲げ箇所から開口部の上側縁に至る部分の膨らみ現象を防止することができる。したがって、上記従来例で問題とされていた筐体との接触によるフレキシブル基板の破損を回避することができる。
【００２０】
また、請求項２に係る発明によれば、補強部材を開口部の上端縁からフレキシブル基板の端子部側の折り曲げ位置にかからない範囲にかけて形成することにより、上記膨らみ現象をより確実に防止することができる。
【００２１】
さらに、請求項３に係る発明によれば、補強部材を開口部の上端縁に隣接する両側端縁にも形成することにより、開口部の剛性をさらに高めることができる。
【００２２】
また、請求項４に係る発明によれば、補強部材をフレキシブル基板の配線材料である銅箔材にて形成することにより、フレキシブル基板の配線形成工程で補強部材を同時に形成できるため、既存の生産設備を変更する必要がない。
【発明を実施するための最良の形態】
【００２３】
次に、図１および図２により、本発明の実施形態について説明するが、本発明はこれに限定されるものではない。図１は本発明による表示装置の一例としての液晶表示装置の内部構造を模式的に示す断面図，図２は上記液晶表示装置に用いられるフレキシブル基板の一例を模式的に示す平面図である。なお、上記液晶表示装置の基本的構成は、先の図３および図４により説明した上記従来例と同様であり、同一の構成要素には同一の参照符号を付している。
【００２４】
この液晶表示装置においても、筐体１内に液晶表示パネル２と、パネル載置台としてのバックライトユニット３とが収納される。なお、パネル載置台は表示パネル収納ユニットであってもよい。筐体１は、液晶表示パネル２の観察面側に被せられる上カバー部１１と、バックライトユニット３の背面側に配置される下ケース部１２とを含み、材質は金属，合成樹脂のいずれであってもよい。上ケース部１１と下ケース部１２は、最終的に図示しない所定の嵌合手段により一体的に結合される。
【００２５】
上ケース部１１は、一方の面に表示窓１３を有し他方の面が開口されており、その表示窓１３に沿って液晶表示パネル２が配置される。下ケース部１２は、底板１４とその４辺に立設された側枠１５ａ〜１５ｄとを有し、上面は開口している。バックライトユニット３は、液晶表示パネル２の背面側（反観察面側）に配置され、下ケース部１２により覆われる。
【００２６】
バックライトユニット３は、合成樹脂からなるユニットケース３１内に図示しない光源や導光板などを収納してなり、ユニットケース３１の上面には、液晶表示パネル２に対して光を照射する光照射窓３２が設けられている。また、図１に示すように、バックライトユニット３の背面には、基板ねじ止め用のボス３４が複数箇所に設けられ、このボス３４に液晶駆動回路やバックライトの電源回路などを有する回路基板４がねじ止めされる。
【００２７】
なお、バックライトユニット３は、下ケース部１２に所定の係止手段によって固定されるが、この係止手段も上記従来例と同じく、ユニットケース３１側に突設された２つの係止突起３３，３３と、下ケース部１２の側枠１５ａに形成された係止孔１６，１６とにより構成されている。なお、係止突起３３を側枠１５ａ側に形成し、ユニットケース３１側に係止孔１６を設ける構成としてもよい。
【００２８】
液晶表示パネル２は、２枚の透明電極基板２１，２２を周辺シール材を介して貼り合わせてなり、そのセルギャップ内には所定の液晶が封入され、その表裏面には偏光板２３，２４が配設されている。そして、その一方の例えば透明電極基板２１側に端子部２１ａが設けられ、この端子部２１ａにフレキシブル基板５が接続される。フレキシブル基板５はＣＯＦやＴＣＰなどであってよい。
【００２９】
フレキシブル基板５は、上記従来例と同じく、図２に示す一方の鎖線５２の部分で端子部２１ａからほぼ直角に折り曲げられるとともに、他方の鎖線５３の部分でバックライトユニット３の背面側に向けてほぼ直角に折り曲げられ、鎖線５３の折り曲げ部分には、係止突起３３とボス３４と嵌合する開口５１，５１が形成されている。
【００３０】
本発明によると、フレキシブル基板５を端子部２１ａ側の鎖線５２の部分で折り曲げる際に、開口部５１の上端縁５１ａ側が外側（下ケース部１１側）に膨らむのを防止するため、開口部５１の周縁に補強部材５４が形成される。
【００３１】
補強部材５４は、少なくとも開口部５１の上端縁５１ａに沿って形成されればよいが、開口部５１の剛性を高めるうえで、好ましくは、図２に示すように、補強部材５４を開口部５１の上端縁５１ａと、上端縁５１ａに隣接する両側端縁５１ｂ，５１ｂにかけてほぼコ時状に形成することが好ましい。ただし、両側端縁５１ｂ，５１ｂ側は、鎖線５３の部分での折り曲げに支障が生じないように、その折り曲げ部分にかからないようにする。
【００３２】
より好ましくは、補強部材５４を開口部５１の上端縁５１ａからフレキシブル基板５の端子部２１ａ側の折り曲げ位置（鎖線５２の部分）にかからない範囲にかけてベタ状に形成するすることにより、開口部５１の上端縁５１ａ側の膨らみ現象をより確実に防止することができる。
【００３３】
補強部材５４は、フレキシブル基板５の作製後に、例えば蒸着法などにより所定の金属材を後付してもよいが、フレキシブル基板５の配線形成工程で同時に形成できるようにするため、その配線材料である銅箔材であることが好ましい。
【００３４】
上記した構成によれば、フレキシブル基板５を端子部２１ａ側の鎖線５２の部分でほぼ直角に折り曲げ、続いて鎖線５３の部分でバックライトユニット３の背面側に向けてほぼ直角に折り曲げたとしても、図１に示すように、開口部５１の上端縁５１ａ側が外側に膨出しないため、バックライトユニット３を下ケース部１２内に収納して係止突起３３と係止孔１６とにより固定する際、下ケース部１２の上端縁がフレキシブル基板５に引っかかることがなく、フレキシブル基板５の破損を防止することができる。
【００３５】
なお、上記実施形態では、フレキシブル基板５の開口５１に、バックライトユニット固定用の係止突起３３と、基板ねじ止め用のボス３４とが嵌合される場合について説明したが、本発明はこれに限定されることはない。
【００３６】
例えば、フレキシブル基板５の開口５１には上記係止突起３３のみが嵌合され、開口５１が折り曲げ部分にかかっていない場合には、開口５１の周縁全体に補強部材５４を形成してもよい。また、開口５１の数は、上記係止突起３３によって増減されるものであり、その形状も上記係止突起３３によって適宜に変更可能である。
【００３７】
また、鎖線５２，５３で示した折り曲げ部分に、折り曲げ容易とするための脆弱線からなる折り曲げ線を実際に形成してもよい。
【図面の簡単な説明】
【００３８】
【図１】本発明の実施形態に係る液晶表示装置の内部構造を模式的に示す断面図。
【図２】上記液晶表示装置に用いられるフレキシブル基板を模式的に示す平面図。
【図３】従来例に係る液晶表示装置を示す分解斜視図。
【図４】従来例に係る液晶表示装置の内部構造を模式的に示す断面図。
【符号の説明】
【００３９】
１  筐体
１１  上ケース部
１２  下ケース部
１３  表示窓
１４  底板
１５ａ〜１５ｄ  側枠
１６  係止孔
２  液晶表示パネル
２１，２２  透明電極基板
２１ａ  端子部
２３，２４  偏光板
３  バックライトユニット
３１  ユニットケース
３２  光照射窓
３３  係止突起
３４  ボス
４  回路基板
５  フレキシブル基板
５１  開口部
５２，５３  折曲げ部
５４  補強部材
【図１】
2007121898.tif 000003
【図２】
2007121898.tif 000004
【図３】
2007121898.tif 000005
【図４】
2007121898.tif 000006